(57)【要約】【課題】  車体に対する作業灯本体の取付姿勢を調整するときの作業性を高める。【解決手段】  姿勢調整機構１４を、作業灯支持部材１５と、固定ブラケット１２に挿通され一端側が作業灯支持部材１５に固定された軸体１８と、軸体１８の他端側に取付けられたブロック体１９と、固定ブラケット１２とブロック体１９との間に設けられた歯付き座金２１及び平座金２２と、作業灯支持部材１５と固定ブラケット１２との間に設けられた圧縮ばね２３と、ブロック体１９に設けられた操作レバー２４とにより構成する。これにより、操作レバー２４を調整位置に移動させると、ブロック体１９が固定ブラケット１２から離間し、各歯付き座金２１に対する押圧力が解除される。この結果、ブロック体１９と作業灯支持部材１５とが軸体１８を中心として回動可能となり、作業灯本体１３を左，右方向に回動させることができる。【選択図】        図４
2011073485.tif 000002
【特許請求の範囲】
【請求項１】
建設機械の車体に固定して設けられる固定ブラケットと、該固定ブラケットに取付けられ前記車体の周囲に光を照射する作業灯本体と、前記固定ブラケットと作業灯本体との間に設けられ前記車体に対する前記作業灯本体の取付姿勢を調整する姿勢調整機構とからなる建設機械の作業灯装置において、
前記姿勢調整機構は、
前記作業灯本体を支持する作業灯支持部材と、
前記固定ブラケットに挿通され長さ方向の一端側が前記作業灯支持部材に連結されると共に他端側が前記固定ブラケットから離間する方向に伸長する軸体と、
前記固定ブラケットを挟んで前記作業灯支持部材とは反対側に配置され前記軸体の他端側に取付けられたブロック体と、
前記固定ブラケットとブロック体との間に位置し前記軸体に挿通して設けられた歯付き座金と、
前記作業灯支持部材と前記固定ブラケットとの間に設けられ前記ブロック体を前記固定ブラケットに接近する方向に常時付勢する圧縮ばねと、
前記ブロック体に回動可能に設けられ、前記圧縮ばねにより前記歯付き座金に押圧力を付与し前記作業灯本体を固定する固定位置と前記圧縮ばねに抗して前記歯付き座金に対する押圧力を解除し前記作業灯本体を調整可能とする調整位置との間で操作される操作部材とにより構成したことを特徴とする建設機械の作業灯装置。
【請求項２】
前記操作部材は、長さ方向の中間部が前記ブロック体に回動可能に取付けられる作用点となり、長さ方向の一端側が前記固定ブラケットに当接または離間する支点となり、長さ方向の他端側が力点となった操作レバーにより構成し、
前記操作レバーの前記支点を前記固定ブラケットに当接させた状態で前記力点を前記固定ブラケットから離間する方向に移動させることにより、前記作用点に取付けられた前記ブロック体を前記固定ブラケットから離間させ前記歯付き座金に対する押圧力を解除する構成としてなる請求項１に記載の建設機械の作業灯装置。
【請求項３】
前記圧縮ばねは、前記軸体に挿通した状態で前記作業灯支持部材と前記固定ブラケットとの間に設ける構成としてなる請求項１または２に記載の建設機械の作業灯装置。
【請求項４】
前記圧縮ばねは、前記軸体から離間した位置で前記作業灯支持部材と前記固定ブラケットとの間に複数個設ける構成としてなる請求項１または２に記載の建設機械の作業灯装置。
【発明の詳細な説明】
【技術分野】
【０００１】
本発明は、例えば油圧ショベル、油圧クレーン等の建設機械に設けられ、夜間作業時に建設機械の周囲に光を照射する建設機械の作業灯装置に関する。
【背景技術】
【０００２】
一般に、建設機械の代表例としての油圧ショベルは、自走可能な下部走行体と、該下部走行体上に旋回可能に搭載された上部旋回体と、該上部旋回体の前部側に俯仰動可能に設けられた作業装置とにより大略構成され、この作業装置によって土砂の掘削作業灯を行うものである。
【０００３】
また、油圧ショベルには、夜間作業時において掘削場所や作業装置の周囲を明るく照らすための作業灯装置が設けられ、この作業灯装置は、通常、油圧ショベルの車体に固定して設けられる固定ブラケットと、該固定ブラケットに取付けられる作業灯本体と、固定ブラケットと作業灯本体との間に設けられた姿勢調整機構とにより大略構成されている。
【０００４】
そして、姿勢調整機構によって固定ブラケットに対する作業灯本体の取付姿勢（向き）を調整し、作業灯から照射される光の方向を上，下方向、左，右方向に適宜に調整することにより、作業灯からの光を所望の場所に照射することができ、夜間作業時の視認性を高めることができる構成となっている。
【０００５】
ここで、従来技術による作業灯装置の姿勢調整機構は、車体に固定されたブラケットと、該ブラケットにボルト及びナットを用いて上，下方向に回動可能に取付けられた取付部材と、該取付部材にボルト及びナットを用いて左，右方向に回動可能に取付けられた作業灯本体とにより構成されている。そして、取付部材に対する作業灯本体の左，右方向の回動角度を調整し、かつ、ブラケットに対する取付部材の上，下方向の回動角度を調整することにより、車体に対する作業灯本体の取付姿勢を適宜に調整し、所望の場所へと光を照射することができる構成となっている（例えば、特許文献１参照）。
【先行技術文献】
【特許文献】
【０００６】
【特許文献１】特開平１１−２２７５２１号公報
【発明の概要】
【発明が解決しようとする課題】
【０００７】
しかし、上述した従来技術による作業灯装置では、車体に対する作業灯本体の取付姿勢を調整するときには、取付部材と作業灯本体との間を接続するボルト及びナットを緩めた状態で作業灯本体の左，右方向の回動角度を調整した後に、再びボルト及びナットを締付ける共に、ブラケットと取付部材との間を接続するボルト及びナットを緩めた状態で取付部材の上，下方向の回動角度を調整した後に、再びボルト及びナットを締付ける必要がある。
【０００８】
このように、従来技術による作業灯装置では、作業灯本体の左，右方向の回動角度を調整する場合でも、上，下方向の回動角度を調整する場合でも、スパナ等の工具を用いてボルト及びナットを緩め、締付ける作業が必要となるため、車体に対する作業灯本体の取付姿勢を調整するために多大な時間が費やされることになり、その作業性が低下してしまうという問題がある。
【０００９】
本発明は上述した従来技術の問題に鑑みなされたもので、車体に対する作業灯本体の取付姿勢を調整するときの作業性を高めることができるようにした建設機械の作業灯装置を提供することを目的としている。
【課題を解決するための手段】
【００１０】
上述した課題を解決するため本発明は、建設機械の車体に固定して設けられる固定ブラケットと、該固定ブラケットに取付けられ前記車体の周囲に光を照射する作業灯本体と、前記固定ブラケットと作業灯本体との間に設けられ前記車体に対する前記作業灯本体の取付姿勢を調整する姿勢調整機構とからなる建設機械の作業灯装置に適用される。
【００１１】
そして、請求項１の発明の特徴は、前記姿勢調整機構は、前記作業灯本体を支持する作業灯支持部材と、前記固定ブラケットに挿通され長さ方向の一端側が前記作業灯支持部材に連結されると共に他端側が前記固定ブラケットから離間する方向に伸長する軸体と、前記固定ブラケットを挟んで前記作業灯支持部材とは反対側に配置され前記軸体の他端側に取付けられたブロック体と、前記固定ブラケットとブロック体との間に位置し前記軸体に挿通して設けられた歯付き座金と、前記作業灯支持部材と前記固定ブラケットとの間に設けられ前記ブロック体を前記固定ブラケットに接近する方向に常時付勢する圧縮ばねと、前記ブロック体に回動可能に設けられ、前記圧縮ばねにより前記歯付き座金に押圧力を付与し前記作業灯本体を固定する固定位置と前記圧縮ばねに抗して前記歯付き座金に対する押圧力を解除し前記作業灯本体を調整可能とする調整位置との間で操作される操作部材とにより構成したことにある。
【００１２】
請求項２の発明は、前記操作部材は、長さ方向の中間部が前記ブロック体に回動可能に取付けられる作用点となり、長さ方向の一端側が前記固定ブラケットに当接または離間する支点となり、長さ方向の他端側が力点となった操作レバーにより構成し、前記操作レバーの前記支点を前記固定ブラケットに当接させた状態で前記力点を前記固定ブラケットから離間する方向に移動させることにより、前記作用点に取付けられた前記ブロック体を前記固定ブラケットから離間させ前記歯付き座金に対する押圧力を解除する構成としたことにある。
【００１３】
請求項３の発明は、前記圧縮ばねは、前記軸体に挿通した状態で前記作業灯支持部材と前記固定ブラケットとの間に設ける構成としたことにある。
【００１４】
請求項４の発明は、前記圧縮ばねは、前記軸体から離間した位置で前記作業灯支持部材と前記固定ブラケットとの間に複数個設ける構成としたことにある。
【発明の効果】
【００１５】
請求項１の発明によれば、操作部材が固定位置にあるときには、圧縮ばねの付勢力によってブロック体が固定ブラケットに接近し、ブロック体と固定ブラケットとの間で歯付き座金に押圧力が付与されることにより、この歯付き座金によって、ブロック体を固定ブラケットに対して廻止めすることができる。これにより、軸体を介してブロック体に連結された作業灯支持部材を廻止めすることができ、該作業灯支持部材に支持された作業灯本体を車体に対して確実に固定することができる。
【００１６】
一方、操作部材を固定位置から調整位置に操作したときには、圧縮ばねの付勢力に抗してブロック体が固定ブラケットから離間し、ブロック体と固定ブラケットとの間隔が広がることにより、これらブロック体と固定ブラケットとの間に設けられた歯付き座金に対する押圧力が解除される。この結果、ブロック体と作業灯支持部材とは、固定ブラケットに対し軸体を中心として回動可能となるので、作業灯支持部材に支持された作業灯本体を車体に対して回動させ、車体に対する作業灯本体の取付姿勢を適宜に調整することができる。
【００１７】
この場合、操作部材を固定位置から調整位置へと移動させるだけで、ブロック体と作業灯支持部材とを軸体を中心として回動させることができるので、車体に対する作業灯本体の取付姿勢を迅速かつ容易に調整することができる。この結果、例えばスパナ等の工具を用いてボルトやナットを緩める、締付けるといった煩雑な作業を不要にすることができ、車体に対する作業灯本体の取付姿勢を調整するときの作業性を高めることができる。
【００１８】
請求項２の発明によれば、操作レバーの一端側に設けた支点を固定ブラケットに当接させた状態で、操作レバーの他端側に設けた力点を固定ブラケットから離間する方向に移動させるだけで、梃子の原理により、操作レバーの作用点に取付けたブロック体を圧縮ばねの付勢力に抗して容易に固定ブラケットから離間させることができる。この結果、ブロック体と固定ブラケットとの間に設けられた歯付き座金に対する押圧力が解除されるので、作業灯支持部材を軸体を中心として円滑に回動させることができ、作業灯支持部材に支持された作業灯本体の車体に対する取付姿勢を容易に調整することができる。
【００１９】
請求項３の発明によれば、圧縮ばねを軸体に挿通した状態で作業灯支持部材と固定ブラケットとの間に設けることにより、軸体、歯付き座金、圧縮ばねを、軸体の軸中心線に沿ってほぼ一直線上に配置することができる。これにより、姿勢調整機構をコンパクトに構成することができ作業灯装置全体の小型化を図ることができる。
【００２０】
請求項４の発明によれば、軸体から離間した位置で作業灯支持部材と固定ブラケットとの間に複数個の圧縮ばねを設けることにより、圧縮ばねの付勢力が増大し、ブロック体と固定ブラケットとの間に設けられた歯付き座金に対する押圧力を増大することができる。この結果、歯付き座金によって、ブロック体と該ブロック体に軸体を介して連結された作業灯支持部材とを、固定ブラケットに対して確実に廻止めすることができ、作業灯支持部材に支持された作業灯本体を車体に対して強固に固定することができる。
【図面の簡単な説明】
【００２１】
【図１】本発明の第１の実施の形態による作業灯装置を備えた油圧ショベルを作業装置を省略した状態で示す正面図である。
【図２】図１中の作業灯装置を拡大して示す要部拡大の正面図である。
【図３】作業灯装置を図２中の矢示III−III方向からみた左側面図である。
【図４】作業灯装置を示す分解斜視図である。
【図５】操作レバーを調整位置に移動させた状態での作業灯装置を示す正面図である。
【図６】作業灯装置を図５中の矢示VI−VI方向からみた左側面図である。
【図７】第２の実施の形態による作業灯装置を示す図２と同様な正面図である。
【図８】第２の実施の形態による作業灯装置を図７中の矢示VIII−VIII方向からみた左側面図である。
【図９】図８中の固定ブラケット、軸体、圧縮ばね等を図８中の矢示IX−IX方向からみた断面図である。
【図１０】作業灯装置の変形例を示す図２と同様な正面図である。
【発明を実施するための形態】
【００２２】
以下、本発明に係る建設機械の作業灯装置の形態を油圧ショベルに適用した場合を例に挙げ、図１ないし図１０を参照しつつ詳細に説明する。
【００２３】
まず、図１ないし図６は本発明の第１の実施の形態を示している。図中、１は建設機械の代表例としての大型の油圧ショベルを示し、該油圧ショベル１は、自走可能なクローラ式の下部走行体２と、該下部走行体２上に旋回可能に搭載された上部旋回体３とにより車体が構成されている。そして、上部旋回体３の中央部前側には作業装置（図示せず）が俯仰動可能に設けられ、該作業装置を用いて土砂等の掘削作業を行うものである。
【００２４】
ここで、上部旋回体３は、支持構造体をなす旋回フレーム４と、該旋回フレーム４の後端側に作業装置（図示せず）との重量バランスをとるカウンタウエイト５と、該カウンタウエイト５の前側に配置されエンジン、油圧ポンプ等の搭載機器（いずれも図示せず）を覆う建屋カバー６と、該建屋カバー６の左前側に配置された箱構造をなすキャブベッド７と、該キャブベッド７の上端側に取付けられ運転室を画成するハイキャブ仕様のキャブ８とにより大略構成されている。
【００２５】
そして、キャブ８は、前面板８Ａ、後面板８Ｂ、左，右の側面板８Ｃ、および屋根部材８Ｄによって囲まれた直方体の箱構造をなし、キャブ８の内部には、オペレータが着席する運転席、オペレータが操作する操作レバー、操作ペダル等の操作機器（いずれも図示せず）が配置されている。
【００２６】
このように、旋回フレーム４とキャブ８との間にキャブベッド７を設けることにより、キャブ８を地上から離れた高い位置に支持し、キャブ８内の運転席に着席したオペレータが、高い位置から広い範囲に亘って視界を確保することができる構成となっている。
【００２７】
また、キャブベッド７の上端側には、キャブ８の周囲を取囲んで作業用フロア９が設けられ、旋回フレーム４と作業用フロア９との間には、階段状の乗降用ステップ１０が設けられている。そして、オペレータは、乗降用ステップ１０と作業用フロア９を足場として、キャブ８と旋回フレーム４との間を迅速かつ安全に乗降することができる構成となっている。
【００２８】
ここで、キャブ８を構成する屋根部材８Ｄの前端側と後端側、キャブベッド７の前端側、作業用フロア９の前端側、建屋カバー６の後端側等の複数箇所には、それぞれ後述の作業灯装置１１が取付けられる構成となっている。
【００２９】
次に、１１は本発明の第１の実施の形態による作業灯装置を示している。この作業灯装置１１は、例えば図１に示すように、キャブ８を構成する屋根部材８Ｄの前端側と後端側、キャブベッド７の前端側、作業用フロア９の前端側、建屋カバー６の後端側等の複数箇所に取付けられている。そして、これら各作業灯装置１１は、油圧ショベル１が夜間作業を行うときに、上部旋回体３、作業装置（図示せず）等の周囲に光を照射することにより、夜間作業の視認性を確保するものである。
【００３０】
ここで、各作業灯装置１１は同一の構成を有しているため、以下、キャブ８の屋根部材８Ｄの前端側に取付けられた作業灯装置１１について説明する。この作業灯装置１１は、図４等に示すように、後述の固定ブラケット１２と、作業灯本体１３と、姿勢調整機構１４とにより構成されている。
【００３１】
１２はキャブ８を構成する屋根部材８Ｄの前端側に固定して設けられた固定ブラケットで、該固定ブラケット１２は、作業灯本体１３が取付けられるものである。ここで、固定ブラケット１２は、鋼板材等を用いて左，右方向に延びる長方形の平板状に形成され、溶接等の手段を用いて屋根部材８Ｄの前端部に固着されている。そして、固定ブラケット１２は、屋根部材８Ｄの前端部から前方に向けてほぼ水平に突出している。また、固定ブラケット１２の中央部には、上，下方向に貫通する軸挿通孔１２Ａが穿設され、該軸挿通孔１２Ａには、後述の軸体１８が挿通される構成となっている。
【００３２】
１３は作業灯装置１１の本体部を構成する作業灯本体で、該作業灯本体１３は、全体として直方体の箱状に形成され、その内部には電球（図示せず）が収容されている。そして、作業灯本体１３は、例えば夜間作業時に点灯されることにより、キャブ８の前方に光を照射するものである。また、作業灯本体１３の下面側には左，右方向で間隔をもって対面する左，右のステー１３Ａが設けられ、該各ステー１３Ａには、後述の作業灯支持部材１５が取付けられる構成となっている。
【００３３】
１４は固定ブラケット１２と作業灯本体１３との間に設けられた姿勢調整機構で、該姿勢調整機構１４は、キャブ８に対する作業灯本体１３の取付姿勢を調整するものである。そして、姿勢調整機構１４は、後述の作業灯支持部材１５、軸体１８、ブロック体１９、各歯付き座金２１、各平座金２２、圧縮ばね２３、操作レバー２４等により構成されている。
【００３４】
１５は作業灯本体１３を支持する作業灯支持部材で、該作業灯支持部材１５は、鋼板材等を略Ｕ字型に折曲げることにより形成され、長さ方向（左，右方向）の両端側が互いに対面する左，右の立上り面１５Ａとなっている。そして、作業灯支持部材１５の左，右の立上り面１５Ａは、作業灯本体１３の左，右のステー１３Ａに対し、それぞれ左，右のボルト１６及びナット１７を用いて締結され、これら左，右のボルト１６及びナット１７は、左，右方向に延びる軸中心線Ａ−Ａ上に配置されている（図３参照）。
【００３５】
従って、左，右のボルト１６及びナット１７を緩めた状態では、作業灯本体１３は作業灯支持部材１５に対し、各ボルト１６の軸中心線Ａ−Ａを中心として、図２及び図３中の矢示Ｘ方向（上，下方向）に回動する。即ち、作業灯支持部材１５は、ボルト１６及びナット１７を用いて作業灯本体１３を上，下方向に回動可能に支持しており、キャブ８に対する作業灯本体１３の上，下方向の回動角度を適宜に調整することができる構成となっている。
【００３６】
１８は固定ブラケット１２の軸挿通孔１２Ａに挿通された軸体で、該軸体１８は、上，下方向に延びる円柱状の棒状体からなっている。ここで、軸体１８の長さ方向の一端側（上端側）は、作業灯支持部材１５の下面に溶接等の手段を用いて直接的に固定され、軸体１８の他端側（下端側）は、固定ブラケット１２から離間する方向（下方）に伸長している。そして、軸体１８の他端部には雄ねじ部１８Ａが螺設され、該雄ねじ部１８Ａが設けられた軸体１８の他端側には後述のブロック体１９が取付けられる構成となっている。
【００３７】
従って、作業灯支持部材１５は、上，下方向に延びる軸体１８の軸中心線Ｂ−Ｂを中心として、図２及び図３中の矢示Ｙ方向（左，右方向）に回動するようになっており、この作業灯支持部材１５を回動させることにより、キャブ８に対する作業灯本体１３の左，右方向の回動角度を適宜に調整することができる構成となっている。
【００３８】
１９は固定ブラケット１２を挟んで作業灯支持部材１５とは反対側に配置され、軸体１８の他端側に取付けられたブロック体で、該ブロック体１９は、厚肉な鋼板材等を用いて直方体のブロック状に形成されている。ここで、ブロック体１９の中央部には、上，下方向に貫通する軸挿通孔１９Ａが穿設され、該軸挿通孔１９Ａには、軸体１８の他端側が挿通される構成となっている。また、ブロック体１９の左，右の側面には、それぞれピン挿通孔１９Ｂ（左側のみ図示）が穿設され、これら左，右のピン挿通孔１９Ｂには後述のボルト２６が挿通される構成となっている。
【００３９】
そして、ブロック体１９の軸挿通孔１９Ａには軸体１８の他端側が挿通され、ブロック体１９の下面側に突出した軸体１８の雄ねじ部１８Ａには、ナット２０が螺着されている。これにより、ブロック体１９は、固定ブラケット１２を挟んで作業灯支持部材１５とは反対側に配置された状態で、ナット２０によって軸体１８の他端側に取付けられている。
【００４０】
２１は固定ブラケット１２とブロック体１９との間に配置され、軸体１８に挿通して設けられた２枚の内外歯形の歯付き座金で、これら各歯付き座金２１は、環状板の外周側と内周側とに、それぞれ全周に亘って廻止め用の複数の歯が設けられたばね座金により構成されている。
【００４１】
２２は固定ブラケット１２とブロック体１９との間に配置され、軸体１８に挿通して設けられた３枚の平座金で、これら各平座金２２は、上側の歯付き座金２１と固定ブラケット１２との間、２枚の歯付き座金２１の間、下側の歯付き座金２１とブロック体１９との間に配置されている。即ち、２枚の歯付き座金２１と３枚の平座金２２とは、それぞれ軸体１８に挿通された状態で、固定ブラケット１２とブロック体１９との間に交互に重なるように配置されている。
【００４２】
２３は作業灯支持部材１５と固定ブラケット１２との間に設けられた圧縮ばねで、該圧縮ばね２３は、軸体１８に挿通された状態で、作業灯支持部材１５と固定ブラケット１２との間に縮装されている。ここで、圧縮ばね２３は、ブロック体１９を固定ブラケット１２に接近する方向（上方）に常時付勢するものである。
【００４３】
ここで、圧縮ばね２３の付勢力により、ブロック体１９が固定ブラケット１２に接近した位置を保持した状態では、図２及び図３に示すように、ブロック体１９と固定ブラケット１２との間で各歯付き座金２１が軸方向（上，下方向）に押圧される。これにより、各歯付き座金２１は、ブロック体１９が軸体１８の軸中心線Ｂ−Ｂを中心として左，右方向に回動するのを禁止し、軸体１８を介して連結されたブロック体１９と作業灯支持部材１５とを、固定ブラケット１２に対して廻止めする構成となっている。
【００４４】
２４は固定ブラケット１２の下側に位置してブロック体１９に回動可能に設けられた操作部材としての操作レバーで、該操作レバー２４は、図２及び図３に示す固定位置と、図５及び図６に示す調整位置との間で操作されるものである。そして、操作レバー２４は、鋼板材等を用いて略Ｌ字型の平板状に形成された左，右のレバー板２５を有し、これら左，右のレバー板２５は、ブロック体１９を挟んで左，右方向で対面しつつ前，後方向に延びている。
【００４５】
ここで、図４に示すように、各レバー板２５の長さ方向の中間部には雌ねじ孔２５Ａが螺設され、この雌ねじ孔２５Ａには作用点としてのボルト２６が螺着されている。そして、ボルト２６の先端側はレバー板２５から突出し、ブロック体１９のピン挿通孔１９Ｂ内に挿通されている。即ち、左，右のレバー板２５の長さ方向の中間部には、それぞれ作用点となるボルト２６が固定され、各レバー板２５は、ボルト２６を中心としてブロック体１９に対し上，下方向に回動可能に取付けられている。
【００４６】
また、左，右のレバー板２５の長さ方向の一端側（後端側）は、固定ブラケット１２に向けて上向きに屈曲した支点２５Ｂとなり、該支点２５Ｂは、操作レバー２４が固定位置（図２に示す位置）を保持しているときには固定ブラケット１２から離間し、操作レバー２４が調整位置（図５に示す位置）に移動したときには固定ブラケット１２に当接するものである。
【００４７】
さらに、左，右のレバー板２５の長さ方向の他端側（前端側）は、固定ブラケット１２よりも前方に突出した力点２５Ｃとなり、これら左，右の力点２５Ｃは、ボルト２７を用いて固定された円筒状のスペーサ２８を介して互いに連結されている。この場合、スペーサ２８の長さ寸法は、ブロック体１９の左，右方向の幅寸法よりも僅かに大きく設定されており、各レバー板２５の作用点となるボルト２６をブロック体１９のピン挿通孔１９Ｂに挿通した状態で、各レバー板２５とブロック体１９との間には僅かな隙間が形成されている。これにより、操作レバー２４は、各ボルト２６を支点として、図２及び図３に示す固定位置と、図５及び図６に示す調整位置との間を円滑に移動する。
【００４８】
そして、操作レバー２４が固定位置にあるときには、圧縮ばね２３の付勢力によってブロック体１９が固定ブラケット１２に接近した位置を保持し、ブロック体１９の上面と固定ブラケット１２の下面との間には小さな間隔Ｓ１が形成される（図２参照）。これにより、ブロック体１９と固定ブラケット１２との間で各歯付き座金２１が押圧されるので、軸体１８を介して連結されたブロック体１９と作業灯支持部材１５とを、歯付き座金２１によって固定ブラケット１２に対して廻止めすることができる構成となっている。
【００４９】
一方、各レバー板２５の力点２５Ｃを下方に押圧操作し、操作レバー２４を調整位置へと移動させたときには、各レバー板２５の支点２５Ｂが固定ブラケット１２の下面に当接することにより、ボルト２６を介して操作レバー２４に連結されたブロック体１９が、圧縮ばね２３の付勢力に抗して固定ブラケット１２から離間する方向（下方）に移動し、ブロック体１９の上面と固定ブラケット１２の下面との間には大きな間隔Ｓ２が形成される（図５参照）。
【００５０】
これにより、ブロック体１９と固定ブラケット１２との間に設けられた各歯付き座金２１に対する押圧力が解除され、軸体１８を介して連結されたブロック体１９と作業灯支持部材１５とを、固定ブラケット１２に対し軸体１８の軸中心線Ｂ−Ｂを中心として、図５及び図６中の矢示Ｙ方向（左，右方向）に回動させることができる構成となっている。
【００５１】
本実施の形態による作業灯装置１１は上述の如き構成を有するもので、以下、キャブ８に対する作業灯本体１３の取付姿勢を調整する作業について説明する。
【００５２】
まず、キャブ８に対する作業灯本体１３の上，下方向の回動角度を調整する場合には、作業灯本体１３のステー１３Ａと作業灯支持部材１５の立上り面１５Ａとを締結するボルト１６とナット１７を緩め、各ボルト１６の軸中心線Ａ−Ａを中心として作業灯本体１３を上，下方向に回動させる。
【００５３】
このようにして、キャブ８に対する作業灯本体１３の上，下方向の回動角度を適宜に調整した後、ボルト１６とナット１７を締付けて作業灯支持部材１５に作業灯本体１３を固定することにより、キャブ８に対する作業灯本体１３の上，下方向の回動角度を設定することができる。
【００５４】
次に、キャブ８に対する作業灯本体１３の左，右方向の回動角度を調整する場合には、操作レバー２４を構成する各レバー板２５の力点２５Ｃを下方に押圧操作することにより、操作レバー２４を図５及び図６に示す調整位置へと移動させる。これにより、各レバー板２５の支点２５Ｂが固定ブラケット１２の下面に当接し、各レバー板２５の作用点となるボルト２６に取付けられたブロック体１９が、圧縮ばね２３の付勢力に抗して固定ブラケット１２から離間する方向（下方）に移動する。
【００５５】
この状態では、ブロック体１９の上面と固定ブラケット１２の下面との間に大きな間隔Ｓ２が形成されるので、ブロック体１９と固定ブラケット１２との間に設けられた各歯付き座金２１に対する押圧力が解除される。この結果、軸体１８を介して連結されたブロック体１９と作業灯支持部材１５とを、軸体１８の軸中心線Ｂ−Ｂを中心として左，右方向に回動させることができ、作業灯支持部材１５に支持された作業灯本体１３を、キャブ８に対して左，右方向に回動させることができる。
【００５６】
このようにして、キャブ８に対する作業灯本体１３の左，右方向の回動角度を適宜に調整した後には、各レバー板２５の力点２５Ｃに対する押圧操作を停止する。これにより、操作レバー２４は、圧縮ばね２３の付勢力により、調整位置から図２及び図３に示す固定位置へと自動的に復帰する。
【００５７】
この状態では、圧縮ばね２３の付勢力によってブロック体１９が固定ブラケット１２に接近した位置を保持するので、ブロック体１９の上面と固定ブラケット１２の下面との間には小さな間隔Ｓ１が形成される。これにより、ブロック体１９と固定ブラケット１２との間で各歯付き座金２１が押圧されるので、軸体１８を介して連結されたブロック体１９と作業灯支持部材１５とを、歯付き座金２１によって固定ブラケット１２に対して廻止めすることができる。この結果、作業灯支持部材１５によって支持された作業灯本体１３を、固定ブラケット１２に対して強固に固定することができ、キャブ８に対する作業灯本体１３の左，右方向の回動角度を設定することができる。
【００５８】
かくして、本実施の形態による作業灯装置１１によれば、固定ブラケット１２と作業灯本体１３との間に設けられる姿勢調整機構１４を、作業灯本体１３を支持する作業灯支持部材１５と、固定ブラケット１２に挿通され一端側が作業灯支持部材１５に固定される軸体１８と、軸体１８の他端側に取付けられたブロック体１９と、固定ブラケット１２とブロック体１９との間に配置され、軸体１８に挿通して設けられた複数の歯付き座金２１及び平座金２２と、作業灯支持部材１５と固定ブラケット１２との間に設けられた圧縮ばね２３と、ブロック体１９に回動可能に設けられ、固定位置と調整位置との間で操作される操作レバー２４とにより構成している。
【００５９】
これにより、操作レバー２４が固定位置にあるときには、圧縮ばね２３の付勢力によってブロック体１９が固定ブラケット１２に接近し、ブロック体１９と固定ブラケット１２との間で各歯付き座金２１が押圧されることにより、これら各歯付き座金２１によって、ブロック体１９を固定ブラケット１２に対して廻止めすることができる。この結果、軸体１８を介してブロック体１９に連結された作業灯支持部材１５を廻止めし、該作業灯支持部材１５に支持された作業灯本体１３をキャブ８に対して固定することができるので、油圧ショベル１の作動時における振動に対しても、作業灯本体１３を適切な取付姿勢に保持しておくことができる。
【００６０】
一方、操作レバー２４を調整位置に移動させたときには、圧縮ばね２３の付勢力に抗してブロック体１９が固定ブラケット１２から離間し、ブロック体１９と固定ブラケット１２との間隔Ｓ２が大きくなるので、ブロック体１９と固定ブラケット１２との間に設けられた各歯付き座金２１に対する押圧力が解除される。この結果、軸体１８を介して連結されたブロック体１９と作業灯支持部材１５とが、固定ブラケット１２に対し軸体１８の軸中心線Ｂ−Ｂを中心として回動可能となるので、作業灯支持部材１５に支持された作業灯本体１３をキャブ８に対して左，右方向に回動させることができ、キャブ８に対する作業灯本体１３の取付姿勢を適宜に調整することができる。
【００６１】
このように、操作レバー２４を固定位置から調整位置へと移動させるだけで、ブロック体１９と作業灯支持部材１５とを軸体１８の軸中心線Ｂ−Ｂを中心として回動させ、キャブ８に対する作業灯本体１３の取付姿勢を迅速かつ容易に調整することができる。この結果、例えばスパナ等の工具を用いてボルトやナットを緩める、締付けるといった煩雑な作業を不要にすることができ、作業灯本体１３の取付姿勢を調整するときの作業性を高めることができる。
【００６２】
また、本実施の形態による作業灯装置１１は、圧縮ばね２３を、軸体１８に挿通した状態で作業灯支持部材１５と固定ブラケット１２との間に設ける構成としたので、作業灯支持部材１５、軸体１８、歯付き座金２１、平座金２２、圧縮ばね２３を、軸体１８の軸中心線Ｂ−Ｂに沿ってほぼ一直線上に配置することができる。これにより、姿勢調整機構１４をコンパクトに構成することができ、作業灯装置１１全体の小型化を図ることができる。
【００６３】
次に、図７ないし図９は本発明の第２の実施の形態を示し、本実施の形態の特徴は、圧縮ばねを、軸体から離間した位置で作業灯支持部材と固定ブラケットとの間に複数個設けたことにある。なお、第２の実施の形態では、上述した第１の実施の形態と同一の構成要素に同一符号を付し、その説明を省略するものとする。
【００６４】
図中、３１は第２の実施の形態による作業灯装置を示し、該作業灯装置３１は、第１の実施の形態による作業灯装置１１と同様に、後述の固定ブラケット３２と、作業灯本体１３と、後述の姿勢調整機構３３とにより構成されている。しかし、本実施の形態による作業灯装置３１は、固定ブラケット３２と姿勢調整機構３３の構成が、第１の実施の形態によるものとは異なるものである。
【００６５】
３２はキャブ８の屋根部材８Ｄに固定して設けられた固定ブラケットで、該固定ブラケット３２は、鋼板材等を用いて左，右方向に延びる長方形の平板状に形成され、溶接等の手段を用いて屋根部材８Ｄの前端部に固着されている。ここで、図９に示すように、固定ブラケット３２の中央部には上，下方向に貫通する軸挿通孔３２Ａが穿設され、該軸挿通孔３２Ａを挟む左，右両側には、軸挿通孔３２Ａを中心として円弧状に延びる左，右の溝孔３２Ｂが形成されている。そして、軸挿通孔３２Ａには後述の軸体３５が挿通され、左，右の溝孔３２Ｂには、後述のボルト３６が挿通される構成となっている。
【００６６】
３３は固定ブラケット３２と作業灯本体１３との間に設けられた姿勢調整機構で、該姿勢調整機構３３は、第１の実施の形態による姿勢調整機構１４に代えて第２の実施の形態に用いたものである。そして、姿勢調整機構３３は、ブロック体１９、各歯付き座金２１、各平座金２２、操作レバー２４、後述の作業灯支持部材３４、軸体３５、各圧縮ばね３８等により構成されている。
【００６７】
３４は作業灯本体１３を支持する作業灯支持部材で、該作業灯支持部材３４は、固定ブラケット３２と上，下方向で対面する長方形の下板３４Ａと、略Ｕ字型の屈曲形状を有し下板３４Ａの上面側に固着された上板３４Ｂとにより構成されている。ここで、下板３４Ａには、固定ブラケット３２の各溝孔３２Ｂに対応する位置に左，右のボルト挿通孔３４Ａ１が穿設されている。一方、上板３４Ｂの左，右方向の両端側は互いに対面する左，右の立上り面３４Ｂ１となり、これら各立上り面３４Ｂ１は、作業灯本体１３の左，右のステー１３Ａにボルト１６及びナット１７を用いて締結されている。
【００６８】
そして、ボルト１６及びナット１７を緩めた状態では、作業灯本体１３は、作業灯支持部材３４に対して上，下方向に回動する。即ち、作業灯支持部材３４は、ボルト１６及びナット１７を用いて作業灯本体１３を上，下方向に回動可能に支持している。
【００６９】
３５は固定ブラケット３２の軸挿通孔３２Ａに挿通された軸体で、該軸体３５は、上，下方向に延びる円柱状の棒状体からなっている。ここで、軸体３５の長さ方向の一端側（上端側）は、作業灯支持部材３４の下板３４Ａに溶接等の手段を用いて固定され、軸体３５の他端側（下端側）は、固定ブラケット３２から離間する方向（下方）に伸長している。
【００７０】
そして、軸体３５の他端部には雄ねじ部３５Ａが螺設され、該雄ねじ部３５Ａに螺合するナット２０によって、軸体３５の他端側にはブロック体１９が取付けられている。また、ブロック体１９と固定ブラケット３２との間には、２枚の歯付き座金２１と３枚の平座金２２とが、軸体３５に挿通された状態で交互に重ねて配置されている。また、ブロック体１９には、操作レバー２４が回動可能に取付けられている。
【００７１】
３６は作業灯支持部材３４と固定ブラケット３２との間に設けられた左，右のボルトで、これら各ボルト３６は、後述の各圧縮ばね３８を抜止めするものである。ここで、各ボルト３６は、作業灯支持部材３４の下板３４Ａに設けられたボルト挿通孔３４Ａ１と、固定ブラケット３２に設けられた溝孔３２Ｂとに挿通され、固定ブラケット３２の下面側に配置されたナット３７に螺合している。
【００７２】
従って、作業灯支持部材３４が、軸体３５の軸中心線Ｂ−Ｂを中心として図７及び図８中の矢示Ｙ方向（左，右方向）に回動するときには、各ボルト３６は、固定ブラケット３２に形成された溝孔３２Ｂに沿って作業灯支持部材３４と共に回動する。即ち、作業灯支持部材３４は、各ボルト３６が固定ブラケット３２の溝孔３２Ｂ内を移動できる範囲で、軸体３５の軸中心線Ｂ−Ｂを中心として左，右方向に回動する構成となっている。
【００７３】
３８は作業灯支持部材３４と固定ブラケット３２との間に設けられた２個の圧縮ばねで、これら各圧縮ばね３８は、軸体３５を挟んで左，右に１個ずつ配置されている。ここで、各圧縮ばね３８は、左，右のボルト３６に挿通された状態で作業灯支持部材３４と固定ブラケット３２との間に縮装され、ブロック体１９を固定ブラケット３２に接近する方向（上方）に常時付勢している。
【００７４】
そして、ブロック体１９が、各圧縮ばね３８の付勢力によって固定ブラケット３２に接近した位置を保持した状態では、ブロック体１９と固定ブラケット３２との間で各歯付き座金２１が軸方向に押圧される。これにより、各歯付き座金２１は、ブロック体１９が軸体３５の軸中心線Ｂ−Ｂを中心として左，右方向に回動するのを禁止し、軸体３５を介して連結されたブロック体１９と作業灯支持部材３４とを、固定ブラケット３２に対して廻止めする構成となっている。
【００７５】
第２の実施の形態による作業灯装置３１は上述の如き構成を有するもので、その基本的作動については、上述した第１の実施の形態による作業灯装置１１と格別差異はない。
【００７６】
然るに、本実施の形態によれば、作業灯支持部材３４と固定ブラケット３２との間に２個の圧縮ばね３８を設けることにより、これら各圧縮ばね３８の付勢力が増大し、ブロック体１９と固定ブラケット３２との間に設けられた各歯付き座金２１に対する押圧力を増大することができる。
【００７７】
これにより、各歯付き座金２１によって、ブロック体１９と該ブロック体１９に軸体３５を介して連結された作業灯支持部材３４とを、固定ブラケット３２に対して確実に廻止めすることができる。この結果、作業灯支持部材３４に支持された作業灯本体１３を、キャブ８に対して強固に固定することができ、油圧ショベル１の作動時における振動に対しても、作業灯本体１３を適切な取付姿勢に確実に保持しておくことができる。
【００７８】
なお、上述した第１の実施の形態では、作業灯支持部材１５の下面に軸体１８の上端部を直接的に固定することにより、作業灯支持部材１５と軸体１８とをほぼ一直線上に配置した場合を例示している。
【００７９】
しかし、本発明はこれに限るものではなく、例えば図１０に示す変形例のように、作業灯支持部材１５を平板状の中間連結板３９に取付け、この中間連結板３９のうち作業灯支持部材１５から後方に離間した位置にボルトからなる軸体４０を固定する構成としてもよい。このように、作業灯支持部材１５と軸体４０とを中間連結板３９を介して連結することにより、作業灯支持部材１５と軸体４０とを前，後にずらした状態で配置する構成としてもよい。
【００８０】
また、上述した各実施の形態では、ブロック体１９と固定ブラケット１２（３２）との間に２枚の歯付き座金２１を設けた場合を例示している。しかし、本発明はこれに限るものではなく、例えば１枚の歯付き座金２１を用いてもよく、３枚以上の歯付き座金２１を用いる構成としてもよい。
【００８１】
さらに、上述した各実施の形態では、建設機械として油圧ショベルを例示したが、本発明はこれに限らず、例えば油圧クレーン、ホイールローダ等の夜間作業を行う建設機械に広く適用することができる。
【符号の説明】
【００８２】
１  油圧ショベル（建設機械）
２  下部走行体（車体）
３  上部旋回体（車体）
８  キャブ
１１，３１  作業灯装置
１２，３２  固定ブラケット
１３  作業灯本体
１４，３３  姿勢調整機構
１５，３４  作業灯支持部材
１８，３５，４０  軸体
１９  ブロック体
２１  歯付き座金
２３  圧縮ばね
２４  操作レバー（操作部材）
２５  レバー板
２５Ｂ  支点
２５Ｃ  力点
２６  ボルト（作用点）
【図１】
2011073485.tif 000003
【図２】
2011073485.tif 000004
【図３】
2011073485.tif 000005
【図４】
2011073485.tif 000006
【図５】
2011073485.tif 000007
【図６】
2011073485.tif 000008
【図７】
2011073485.tif 000009
【図８】
2011073485.tif 000010
【図９】
2011073485.tif 000011
【図１０】
2011073485.tif 000012